(57)【特許請求の範囲】
【請求項１】
天面壁と該天面壁の周縁から垂下するスカート壁とを有する合成樹脂製容器蓋において、該天面壁には沈降部が形成され、該沈降部には円形破断可能薄肉ライン或いは円弧状主部を含む破断可能薄肉ラインによって開口領域が規定されており、該円形破断可能薄肉ラインによって囲繞された或いは該破断可能薄肉ラインの該円弧状主部によって部分的に囲繞された円形領域の上面は、該円形領域の底面よりもはるかに小さい微小円形平坦面である中央部の周縁から半径方向外方に向かって下方に傾斜して延び、ストローの先端部を該円形破断可能薄肉ライン或いは該破断可能薄肉ラインへ案内する傾斜面を有する略円錐台形状であることを特徴とする合成樹脂製容器蓋。
【請求項２】
天面壁と該天面壁の周縁から垂下するスカート壁とを有する合成樹脂製容器蓋において、該天面壁には沈降部が形成され、該沈降部には円形破断可能薄肉ライン或いは円弧状主部を含む破断可能薄肉ラインによって開口領域が規定されており、該円形破断可能薄肉ラインによって囲繞された或いは該破断可能薄肉ラインの該円弧状主部によって部分的に囲繞された円形領域の上面は、中央部から半径方向外方に向かって下方に傾斜し、ストローの先端部を該円形破断可能薄肉ライン或いは該破断可能薄肉ラインへ案内する曲面を有する略半球形状である、ことを特徴とする合成樹脂製容器蓋。
【請求項３】
該天面壁の該沈降部は円形沈降部であり、該開口領域は該円形沈降部の周縁に沿って延びる円形破断可能薄肉ラインによって規定されている、請求項１又は２に記載の合成樹脂製容器蓋。
【請求項４】
該天面壁の該沈降部は円形主部と該円形主部の周縁から延びる帯状付加部から形成されており、該開口領域は該沈降部の該円形主部の周縁に沿って延びる円弧状主部と該円弧状主部の両端から該沈降部の該付加部の両側縁に沿って延びる一対の付加部とを含む破断可能薄肉ラインによって規定されている、請求項１又は２に記載の合成樹脂製容器蓋。
【発明の詳細な説明】
【０００１】
【発明の属する技術分野】
本発明は、合成樹脂製容器蓋、更に詳しくは、容器の口頸部から容器蓋を離脱することなく容器蓋の天面壁にストローを挿通せしめ、ストローを通して容器内の飲料を吸引することができる合成樹脂製容器蓋に関する。
【０００２】
【従来の技術】
容器蓋を装着することによって開口が閉じられている容器に収容されている飲料、例えば乳飲料或いはコーヒー等の飲料、を飲む場合、容器から容器蓋を離脱せしめて開口を解放し、開口から直接的に飲料を飲むことを好む人（主として男性）と、ストローを通して飲料を吸引することを好む人（主として女性）とがいる。かような事実に鑑みて、容器に離脱自在に装着される容器蓋の天面壁に、押圧力を加えることによって破断される破断可能薄肉ラインによって規定された開口領域を形成した容器蓋が提案され、実用に供されている。破断可能薄肉ラインは円形でよく、或いは円弧状主部を含む適宜の形状の開口領域でもよい。かような容器蓋においては、所望により容器から容器蓋を離脱することに代えて、ストローを当接せしめて押圧して破断可能薄肉ラインを破断せしめて開口を形成し、かかる開口を通してストローを挿通せしめれば、ストローを通して容器内の飲料を吸引することができる。
【０００３】
【発明が解決しようとする課題】
而して、上述した形態の従来の容器蓋においては、ストローの最先端（通常は斜めに切断され周方向の特定部位がシャープにせしめられている）を所要部位、即ち破断可能薄肉ラインに所要とおりに位置せしめることなく、例えば開口領域の上面における中央部近傍に位置せしめてストローを強制的に降下せしめた場合、破断可能薄肉ラインを破断せしめることなくストローの先端部を変形せしめ或いはストローの主部を折り曲げてしまうことがある、という問題が存在する。
【０００４】
本発明は上記事実に鑑みてなされたものであり、その主たる技術的課題は、誤って開口領域の上面における中央部近傍にストローの最先端を位置せしめても、かかるストローの最先端が破断すべき破断可能薄肉ラインに適切に案内される、新規且つ改良された合成樹脂製容器蓋を提供することである。
【０００５】
【課題を解決するための手段】
本発明によれば、上記主たる技術的課題を解決するために、円形破断可能薄肉ラインによって囲繞された或いは破断可能薄肉ラインの円弧状主部によって部分的に囲繞された円形領域の上面を、中心部から半径方向外方に向かって下方に傾斜する傾斜面を有する形態にせしめ、誤って開口領域の中央部近傍にストローの最先端を位置せしめても傾斜面の案内作用によってストローの最先端が破断すべき破断可能薄肉ラインに導かれるようにせしめる。
【０００６】
即ち、本発明によれば、天面壁と該天面壁の周縁から垂下するスカート壁とを有する合成樹脂製容器蓋において、該天面壁には沈降部が形成され、該沈降部には円形破断可能薄肉ライン或いは円弧状主部を含む破断可能薄肉ラインによって開口領域が規定されており、該円形破断可能薄肉ラインによって囲繞された或いは該破断可能薄肉ラインの該円弧状主部によって部分的に囲繞された円形領域の上面は、該円形領域の底面よりもはるかに小さい微小円形平坦面である中央部の周縁から半径方向外方に向かって下方に傾斜して延び、ストローの先端部を該円形破断可能薄肉ライン或いは該破断可能薄肉ラインへ案内する傾斜面を有する略円錐台形状であることを特徴とする合成樹脂製容器蓋が提供される。
また、本発明によれば、天面壁と該天面壁の周縁から垂下するスカート壁とを有する合成樹脂製容器蓋において、該天面壁には沈降部が形成され、該沈降部には円形破断可能薄肉ライン或いは円弧状主部を含む破断可能薄肉ラインによって開口領域が規定されており、該円形破断可能薄肉ラインによって囲繞された或いは該破断可能薄肉ラインの該円弧状主部によって部分的に囲繞された円形領域の上面は、中央部から半径方向外方に向かって下方に延び、ストローの先端部を該円形破断可能薄肉ライン或いは該破断可能薄肉ラインへ案内する曲面を有する略半球形状である、ことを特徴とする合成樹脂製容器蓋が提供される。
【０００７】
該天面壁の沈降部は円形沈降部であり、該開口領域は該円形沈降部の周縁に沿って延びる円形破断可能薄肉ラインによって規定されている。或いは、該天面壁の該沈降部は円形主部と該円形主部の周縁から延びる帯状付加部から形成されており、該開口領域は該沈降部の該円形主部の周縁に沿って延びる円弧状主部と該円弧状主部の両端から該沈降部の該付加部の両側縁に沿って延びる一対の付加部とを含む破断可能薄肉ラインによって規定されている。
【０００８】
【発明の実施の形態】
以下、本発明に従って構成された合成樹脂製容器蓋の好適実施形態を図示している添付図面を参照して、更に詳細に説明する。
【０００９】
図１乃至図５を参照して説明すると、本発明に従って構成された全体を番号２で示す合成樹脂製容器蓋は、ポリエチレン及びポリプロピレンの如き適宜の合成樹脂から一体に成形されている。かかる容器蓋２は、円形天面壁４及びこの天面壁４の周縁から垂下するスカート壁６を有している。スカート壁６には周方向に延びる破断可能ライン８が形成されており、スカート壁６は破断可能ライン８よりも上方の主部１０と破断可能ライン８よりも下方のタンパーエビデント裾部１２とに区画されている。スカート壁６の内周面には下方に延びる突条１４が周方向に適宜の間隔を置いて複数個（図示の場合８個）形成されており、上記破断可能ライン８は、突条１４の軸線方向中間部において、スカート壁６の外周面から切断刀（図示していない）を作用せしめ、突条１４の少なくとも一部を残留せしめてスカート壁６を切断することによって形成される。突条１４の各々の切断されることなく残留せしめられた部分が所謂橋絡部を構成し、タンパーエビデント裾部１２は橋絡部を介してスカート壁６の主部１０に接続されている。
【００１０】
スカート壁６の主部１０の内周面には、図４から理解されるとおり、係合手段１６が形成されている。係合手段１６は、周方向に適宜の間隔を置いて配設され周方向に延びる複数個（図示の場合８個）の弧状突条１８から構成されている。また、スカート壁６のタンパーエビデント裾部１２の内周面には、係止手段２０が形成されている。係止手段２０は周方向に間隔を置いて配設され半径方向内方に向かって上方に傾斜して延びる複数個（図示の場合８個）の突出片２２から構成されており、突出片２２及び弧状突条１８は周方向の大部分において交互に位置するように配設せしめられている。
【００１１】
スカート壁６の主部１０の外周面には、半径方向外方に突出する鍔２４が形成されており、スカート壁６のタンパーエビデント裾部１２の外周面には、円弧状突出部２６及び摘み片２８が形成されている。円弧状突出部２６は半径方向外方に突出せしめられ鍔２４と整合せしめられており、摘み片２８は鍔２４に対して略９０度離隔せしめられた位置に配設せしめられ基端部３０及び円弧状部３２から構成されている。円弧状部３２は、図３から明確に理解される如く、基端部３０の端部から周方向に、スカート壁６のタンパーエビデント裾部１２の外周面に沿って円弧状に延びている。摘み片２８における円弧状部３２の内面はスカート壁６のタンパーエビデント裾部１２の外周面から離隔されているが、図３に図示するが如く、円弧状部３２の内面からスカート壁６のタンパーエビデント裾部１２の外周面まで延びる破断可能な細い接続片３４が配設されている。また、スカート壁６のタンパーエビデント裾部１２には、摘み片８の基端部３０の近傍において、タンパーエビデント裾部１２の軸方向全幅に渡って延びるスリット３６が形成されている。
【００１２】
天面壁４の内面の外周縁部には、図４に図示するとおり、内側円筒状シール片３８及び外側円筒状シール片４０が形成されている。内側円筒状シール片３８は天面壁４の内面から下方に向かって半径方向外方に若干傾斜して延出している。外側円筒状シール片４０は内側円筒状シール片３８から半径方向外方に所定距離離間せしめて配置されており、天面壁４の内面から実質上鉛直に下方に延出せしめられている。
【００１３】
図３及び図４を参照して説明を続けると、図示の実施形態における天面壁４は、円形沈降部４２、環状主部４４、及び沈降部４２の周縁と主部４４の内周縁との間に介在せしめられている筒状垂下部４６を有する。かかる垂下部４６は水平に対して８０乃至１００度の角度αをなして垂下しており、その垂下高さＤ１は２．０乃至６．０ｍｍであるのが好適である。図示の実施形態における天面壁４の沈降部４２には、その周縁に沿って延びる円形破断可能薄肉ライン４８が形成されており、かかる円形破断可能薄肉ライン４８によって開口領域５０、即ち円形領域５０が規定されている。本発明の容器蓋２においては、円形破断可能薄肉ライン４８によって囲繞される開口領域５０の上面、即ち円形領域５０の上面が中央部から半径方向外方に向かって下方に傾斜する傾斜面５１を有するのが重要である。図示の実施形態においては、円形領域５０の上面は中央部から円形破断可能薄肉ライン４８まで半径外方に向かって傾斜する傾斜面５１を有する略円錐台形状であり、円形領域５０の上面の中央部上端は垂下部４６の上端と垂下部４６の下端との略中間に位置している。
【００１４】
天面壁４の上面にはシール部材５２が離脱自在に配設されている。かかるシール部材５２は、天面壁４における環状主部４４に剥離可能に接着され、天面壁４における沈降部４２及び垂下部４６を覆っている。天面壁４の環状主部４４に対するシール部材５２の接着は周知の熱接着でよく、シール部材５２の周縁部の一部、例えば図３に交差線で示す領域は天面壁４の環状主部４４に対して非接着状態にせしめられているのが好都合である。後述する、シール部材５２を天面壁４から離脱する際には、シール部材５２の非接着領域を把持して引っ張り、かくして充分容易にシール部材５２を天面壁４から離脱することができる。円形或いは矩形の如き適宜の形態でよいシール部材５２は、例えばアルミニウム箔と適宜の合成樹脂フィルムとの積層体、或いは所謂ガスバリア性に優れた合成樹脂フィルムの単層又は積層体から形成することができる。また、シール部材５２は天面壁４における沈降部４２（後述するとおり、かかる沈降部４２にはストローが挿通せしめられる）に埃等が堆積するのを防止する。そしてまた、天面壁４の沈降部４２に形成されている円形破断可能薄肉ライン４８は薄肉である故に所謂ガスバリア性が比較的小さいが、シール部材５２は円形破断可能薄肉ライン４８のガスバリア性を補完する。
【００１５】
図５は容器５４の口頸部５６に図１乃至図４に図示する容器蓋２を装着して、口頸部５６を密封した状態を図示している。容器５４の口頸部５６は全体として略円筒形状であり、その外周面には係止あご部５８が形成されている。容器５４の口頸部５６に容器蓋２を装着する際には、容器５４の口頸部５６に容器蓋２を被嵌して下方に押圧すると、容器蓋２のスカート壁６の内周面に形成されている、係止手段２０、突条１４及び係合手段１６がそれ自体の弾性変形或いはスカート壁６の弾性変形によって係止あご部５８を通過する。次いで弾性的に復元して係止手段２０及び係合手段１６が係止あご部５８に係止乃至係合せしめられる。一方、容器蓋２の内側円筒状シール片３８は容器５４の口頸部５６の内周面に密接せしめられて半径方向内方に撓まされ、容器蓋２の外側円筒状シール片４０は容器５４の口頸部５６の外周面に密接せしめられて半径方向外方に撓まされ、これによって容器５４の口頸部５６が密封される。
【００１６】
図５には容器５４の口頸部５６に加え、容器蓋２の天面壁４を挿通せしめるためのストロー６０も二点鎖線で図示されている。かかるストロー６０は円形破断可能薄肉ライン４８の直径と実質上同一の直径を有し、その先端縁６２は２０乃至６０度程度でよい角度で傾斜せしめられているのが好都合である。
【００１７】
図３、図４及び図５を参照して説明を続けると、例えば乳飲料である容器５４の内容物をストロー６０を通して飲む際には、容器５４の口頸部５６に装着されている容器蓋２の天面壁４に配設されているシール部材５２を天面壁４から離脱せしめて沈降部４２及び垂下部４６を露呈せしめる。次いで、ストロー６０の先端縁６２を垂下部４６によって囲繞されている空間に進入せしめる。かくすると、ストロー６０の先端縁６２は垂下部４６の内周面に案内され下降せしめられるが、ストロー６０の最先端は充分確実に所要位置に位置せしめることができず、例えば、開口領域５０の上面における中央部近傍に位置せしめられる場合もある。しかしながら、本発明の容器蓋２においては、円形破断可能薄肉ライン４８よって囲繞された開口領域５０の上面、即ち円形領域５０の上面が中央部から半径方向外方に向かって下方に傾斜する傾斜面５１を有するが故に、ストロー６０を更に下方に変位せしめると、ストロー６０の最先端は、傾斜面５1を滑って所要位置、即ち破断すべき円形破断可能薄肉ライン４８に適切に案内される。しかる後においては、ストロー６０の最先端が円形破断可能薄肉ライン４８に作用し、円形破断可能薄肉ライン４８が漸次破断される。円形破断可能薄肉ライン４８の破断はストロー６０の最先端が作用する部位から周方向両側に進行するが、円形破断可能薄肉ライン４８の一部は破断されることなく維持され、かかる破断されることなく維持されている部分を所謂ヒンジとして開口領域５０は下方に傾動せしめられる。ストロー６０は開口領域５０の傾動によって生成された開口を通って容器５４内に進入せしめられ、これによってストロー６０を通して内容物を吸引することができる。
【００１８】
容器５４の口頸部５６から容器蓋２を離脱して口頸部５６を開封する際には、最初に摘み片２８の円弧状部３２を外方に強制して細い接続片３４を破断せしめる。次いで、円弧状部３２を把持して所要方向に引っ張り破断可能ライン８を破断すると、スカート壁６のタンパーエビデント裾部１２が主部１０から分離せしめられると共に口頸部５６から離脱せしめられる。しかる後に、スカート壁６の主部１０に形成されている鍔２４に指を掛けて上方に強制して、係合手段１６を構成する８個の弧状突条１８を口頸部５６の係止あご部５８から弾性的に離脱せしめ、天面壁４及びスカート壁６の主部１０を口頸部５６から離脱せしめる。開封した口頸部５６を一時的に仮密封することが望まれる場合には、タンパーエビデント裾部１２が分離された容器蓋２、即ち天面壁４及びスカート壁６の主部１０を口頸部５６に被嵌して押圧し、係合手段１６を構成する８個の弧状突条１８を口頸部５６の係止あご部５８に再び係合せしめればよい。
【００１９】
図示の容器蓋２は、スカート壁６の内周面に配設された係止手段２０及び係合手段１６を容器５４の口頸部５６に形成されている係止あご部５８に係止せしめて、容器５４の口頸部５６に装着される形態であるが、本発明はかかる形態の容器蓋に限定されるものではなく、種々の形態の容器蓋、例えばスカート壁の内面に配設されている雌螺条を容器の口頸部に形成されている雄螺条に螺合せしめることによって容器の口頸部に装着される形態の容器蓋、にも適用することができるものである。更に、上記実施形態においては、タンパーエビデント裾部１２付きの容器蓋２について説明を行ったが、これに限定されるものではなく、タンパーエビデント裾部１２に代えて、或いはこれに加えて天面壁４及びスカート壁６とを覆うシュリンクフィルムを設ける事もできる。かかる場合には上記シール部材５２を省略することができる。
【００２０】
図６と共に図７及び図８は本発明に従がって構成された容器蓋の他の好適実施形態を図示している。全体を番号１０２で示す合成樹脂製容器蓋は、ポリエチレン及びポリプロピレンの如き適宜の合成樹脂から一体に成形されている。かかる容器蓋１０２は、円形天面壁１０４及びこの天面壁１０４の周縁から垂下するスカート壁１０６を有している。スカート壁１０６には周方向に延びる破断可能ライン１０８が形成されており、スカート壁１０６は破断可能ライン１０８よりも上方の主部１１０と破断可能ライン１０８よりも下方のタンパーエビデント裾部１１２とに区画されている。スカート壁１０６の内周面には下方に延びる突条１１４が周方向に適宜の間隔を置いて複数個（図示の場合８個）形成されており、上記破断可能ライン１０８は、突条１１４の軸線方向中間部において、スカート壁１０６の外周面から切断刀（図示していない）を作用せしめ、突条１１４の少なくとも一部を残留せしめてスカート壁１１６を切断することによって形成される。突条１１４の各々の切断されることなく残留せしめられた部分が所謂橋絡部を構成し、タンパーエビデント裾部１１２は橋絡部を介してスカート壁１０６の主部１１０に接続されている。
【００２１】
スカート壁１０６の主部１１０の内周面には、図７から理解されるとおり、係合手段１１６が形成されている。係合手段１１６は、周方向に適宜の間隔を置いて配設され周方向に延びる複数個（図示の場合８個）の弧状突条１１８から構成されている。また、スカート壁１０６のタンパーエビデント裾部１１２の内周面には、係止手段１２０が形成されている。係止手段１２０は周方向に間隔を置いて配設され半径方向内方に向かって上方に傾斜して延びる複数個（図示の場合８個）の突出片１２２から構成されており、突出片１２２及び弧状突条１１８は周方向の大部分において交互に位置するように配設せしめられている。
【００２２】
スカート壁１０６の主部１１０の外周面には、半径方向外方に突出する鍔１２４が形成されており、スカート壁１０６のタンパーエビデント裾部１１２の外周面には、円弧状突出部１２６及び摘み片１２８が形成されている。円弧状突出部１２６は半径方向外方に突出せしめられ鍔１２４と整合せしめられており、摘み片１２８は鍔１２４に対して略９０度離隔せしめられた位置に配設せしめられ基端部１３０及び円弧状部１３２から構成されている。円弧状部１３２は、図６から明確に理解される如く、基端部１３０の端部から周方向に、スカート壁１０６のタンパーエビデント裾部１１２の外周面に沿って円弧状に延びている。摘み片１２８の円弧状部１３２の内面はスカート壁１０６のタンパーエビデント裾部１１２の外周面から離隔されているが、図６に図示するが如く、円弧状部１３２の内面からスカート壁１０６のタンパーエビデント裾部１１２の外周面まで延びる破断可能な細い接続片１３４が配設されている。また、スカート壁１０６のタンパーエビデント裾部１１２には、摘み片１０８の基端部１３０の近傍において、タンパーエビデント裾部１１２の軸方向全幅に渡って延びるスリットが形成されている（図示しない）。
【００２３】
天面壁１０４の内面の外周縁部には、図７に図示するとおり、内側円筒状シール片１３８及び外側円筒状シール片１４０が形成されている。内側円筒状シール片１３８は天面壁１０４の内面から下方に向かって半径方向外方に若干傾斜して延出している。外側円筒状シール片１４０は内側円筒状シール片１３８から半径方向外方に所定距離離間せしめて配置されており、天面壁１０４の内面から実質上鉛直に下方に延出せしめられている。
【００２４】
図６及び図７を参照して説明を続けると、図示の実施形態においては、天面壁１０４は、沈降部７０、環状主部７２、及び沈降部７０の周縁と主部７２の内周縁との間に介在せしめられている筒状垂下部７４を有する。図示の実施形態における沈降部７０は円形主部７６及び円形主部７６の周縁から延びる帯状付加部７８を有する。かかる付加部７８の先端縁は円弧状に延びる薄肉ライン８０によって規定されており、付加部７８の上面は垂下部７４の上端と垂下部７４の下端との略中間に位置している。また、図示の実施形態における沈降部７０には、その周縁に沿って延びる破断可能薄肉ライン８２によって開口領域８４が規定されている。破断可能薄肉ライン８２は沈降部７０の円形主部７６の周縁に沿って延びる円弧状主部８６と円弧状主部８６の両端から沈降部７０の付加部７８の両側縁に沿って延びる一対の付加部８８とを含んでいる。円弧状主部８６は１８０度を越える角度範囲に渡って延びており、一対の付加部８８は円弧状主部８６の両端から離れるに従って両者間の間隔が漸次増大している。かような破断可能薄肉ライン８２の肉厚Ｄ２は、上記薄肉ライン８０の肉厚Ｄ３よりも小さいのが好適である。破断可能薄肉ライン８２の肉厚Ｄ２が薄肉ライン８０の肉厚Ｄ３と同一或いはこれよりも大きい場合には、後に詳述する如くして、ストロー６０を挿通せしめるために、ストロー６０の最先縁６２を破断可能薄肉ライン８２の円弧状主部８６に作用せしめると、破断可能薄肉ライン８２と共に薄肉ライン８０が破断され、開口領域８４が天面壁１０４の沈降部７０から離脱せしめられ、容器５４内に落下するという衛生上好ましくない事態が発生する虞がある。開口領域８４は破断可能薄肉ライン８２の円弧状主部８６によって部分的に囲繞される円形領域９０及び破断可能薄肉ライン８２の一対の付加部８８と薄肉ライン８０とによって部分的に囲繞される付加領域９２を有する。本発明の容器蓋１０２においては、破断可能薄肉ライン８２の円弧状主部８６によって部分的に囲繞された円形領域９０の上面が中央部から半径方向外方に向かって下方に傾斜する傾斜面５１を有するのが重要である。図示の実施形態においては、円形領域９０の上面は略半球形状であり、円形領域９０の上端は垂下部７４の上端と垂下部７４の下端との略中間に位置している。上記垂下部７４は水平に対して８０乃至１００度の角度αをなして垂下しており、その垂下高さＤ１は２．０乃至６．０ｍｍであるのが好適である。
【００２５】
天面壁１０４の上面にはシール部材１５２が離脱自在に配設されている。かかるシール部材１５２は、天面壁１０４における環状主部７２に剥離可能に接着され、天面壁１０４における沈降部７０及び垂下部７４を覆っている。天面壁１０４の環状主部７２に対するシール部材１５２の接着は周知の熱接着でよく、シール部材１５２の周縁部の一部、例えば図６に交差線で示す領域は天面壁１０４の環状主部７２に対して非接着状態にせしめられているのが好都合である。後述する、シール部材１５２を天面壁１０４から離脱する際には、シール部材１５２の非接着領域を把持して引っ張り、かくして充分容易にシール部材１５２を天面壁１０４から離脱することができる。円形或いは矩形の如き適宜の形態でよいシール部材１５２は、例えばアルミニウム箔と適宜の合成樹脂フィルムとの積層体、或いは所謂ガスバリア性に優れた合成樹脂フィルムの単層又は積層体から形成することができる。また、シール部材１５２は天面壁１０４における沈降部７０（後述するとおり、かかる沈降部７０にはストローが挿通せしめられる）に埃等が堆積するのを防止する。そしてまた、天面壁１０４の沈降部７０に形成されている破断可能薄肉ライン８２は薄肉である故に所謂ガスバリア性が比較的小さいが、シール部材１５２は破断可能薄肉ライン８２のガスバリア性を補完する。
【００２６】
図６、図７及び図８を参照して説明を続けると、例えば乳飲料である容器５４の内容物をストロー６０を通して飲む際には、容器５４の口頸部５６に装着されている容器蓋１０２の天面壁１０４に配設されているシール部材１５２を天面壁１０４から離脱せしめて沈降部７０を露呈せしめる。次いで、ストロー６０の先端縁６２を垂下部７４によって囲繞されている空間における略円筒形状の領域に進入せしめる。かくすると、ストロー６０の先端縁６２は垂下部７４の内周面に案内され下降せしめられるが、ストロー６０の最先端は充分確実に所要位置に位置せしめることができず、例えば、開口領域８４の円形領域９０の上面における中央部近傍に位置せしめられる場合もある。しかしながら、本発明の容器蓋１０２においては、破断可能薄肉ライン８２の円弧状主部８６によって部分的に囲繞された円形領域９０の上面が中央部から半径方向外方に向かって下方に傾斜する傾斜面５１を有するが故に、ストロー６０を更に下方に変位せしめると、ストロー６０の最先端６２は、略半球形状の傾斜面１５１を滑って所要位置、即ち破断すべき破断可能薄肉ライン８２の円弧状主部８６に適切に案内される。しかる後においては、ストロー６０の最先端が破断可能薄肉ライン８２の円弧状主部８６に作用し、円弧状主部８６がストロー６０の最先端が作用する部位から周方向両側に向けて破断され、次いで、円弧状主部８６の両端から延びる、破断可能薄肉ライン８２の一対の付加部８８が破断される。かくして、開口領域８４は付加部７８の先端縁をヒンジとして下方に変位され、開口領域８４の円形領域９０を通ってストロー６０が容器５４内に進入せしめられる。開口領域８４の付加領域９２が存在していた部分は空気導入孔として機能する。開口領域８４の円形領域９０を規定する、破断可能薄肉ライン８２の円弧状主部８６は１８０度を超える角度範囲に渡って延びている故に、開口領域８４の円形領域９０に挿通せしめられたストロー６０は円形領域９０に拘束され、従がって充分容易にストローを通して内容物を吸飲することができる。
【００２７】
容器５４の口頸部５６から容器蓋１０２を離脱して口頸部５６を開封する際には、最初に摘み片１２８の円弧状部１３２を外方に強制して細い接続片１３４を破断せしめる。次いで、円弧状部１３２を把持して所要方向に引っ張り破断可能ライン１０８を破断すると、スカート壁１０６のタンパーエビデント裾部１１２が主部１１０から分離せしめられると共に口頸部５６から離脱せしめられる。しかる後に、スカート壁１０６の主部１１０に形成されている鍔１２４に指を掛けて上方に強制して、係合手段１１６を構成する８個の弧状突条１１８を口頸部５６の係止あご部５８から弾性的に離脱せしめ、天面壁１０４及びスカート壁１０６の主部１１０を口頸部５６から離脱せしめる。開封した口頸部５６を一時的に仮密封することが望まれる場合には、タンパーエビデント裾部１１２が分離された容器蓋１０２、即ち天面壁１０４及びスカート壁１０６の主部１１０を口頸部５６に被嵌して押圧し、係合手段１１６を構成する８個の弧状突条１１８を口頸部５６の係止あご部５８に再び係合せしめればよい。
【００２８】
図示の容器蓋１０２は、スカート壁１０６の内周面に配設された係止手段１２０及び係合手段１１６を容器５４の口頸部５６に形成されている係止あご部５８に係止せしめて、容器５４の口頸部５６に装着される形態であるが、本発明はかかる形態の容器蓋に限定されるものではなく、種々の形態の容器蓋、例えばスカート壁の内面に配設されている雌螺条を容器の口頸部に形成されている雄螺条に螺合せしめることによって容器の口頸部に装着される形態の容器蓋、にも適用することができるものである。更に、上記実施形態においては、タンパーエビデント裾部１１２付きの容器蓋１０２について説明を行ったが、これに限定されるものではなく、タンパーエビデント裾部１１２に代えて、或いはこれに加えて天面壁１０４及びスカート壁１０６とを覆うシュリンクフィルムを設ける事もできる。かかる場合には上記シール部材１５２を省略することができる。
【００２９】
【発明の効果】
本発明の容器蓋においては、誤って開口領域の上面における中央部近傍にストローの最先端を位置せしめても、かかるストローの最先端が破断すべき破断可能薄肉ラインに適切に案内せしめられる。
【図面の簡単な説明】
【図１】本発明に従がって構成された容器蓋の好適実施形態を示す斜面図。
【図２】図１に示す容器蓋の正面図。
【図３】図１に示す容器蓋の上面図。
【図４】図３の線Ａ−Ａにおける断面図。
【図５】図１に示す容器蓋を容器の口頸部に装着して、ストローの先端で開口領域を挿通せしめた状態を示す図。
【図６】本発明に従がって構成された容器蓋の他の好適実施形態を示す斜面図。
【図７】図６に示す容器蓋の線Ａ−Ａにおける断面図。
【図８】図６に示す容器蓋を容器の口頸部に装着して、ストローの先端で開口領域を挿通せしめた状態を示す図。
【符号の説明】
２：容器蓋
４：天面壁
６：スカート壁
４４：円形沈降部
４８：円形破断可能薄肉ライン
５０：開口領域、円形領域
５１：傾斜面
７０：沈降部
７６：円形主部
７８：帯状付加部
８２：破断可能薄肉ライン
８４：開口領域
８６：円弧状主部
８８：付加部
９０：円形領域
１０２：容器蓋
１０４：天面壁
１０６：スカート壁
【図１】
0004330305.tif 000002
【図２】
0004330305.tif 000003
【図３】
0004330305.tif 000004
【図４】
0004330305.tif 000005
【図５】
0004330305.tif 000006
【図６】
0004330305.tif 000007
【図７】
0004330305.tif 000008
【図８】
0004330305.tif 000009